(57)【要約】【課題】画像表示プロジェクタ装置において、メイン基板とキー操作基板との間の配線をなくして装置組み立て時の作業性を向上すると共に、外部電源からの消費電力を減らす。【解決手段】画像表示プロジェクタ装置１は、ランプ７１ａからの光を光電変換するための太陽電池６と、制御信号ａをワイヤレスでメイン基板４に送信するためにキー操作基板３に設けられた赤外線送信部３１と、赤外線送信部３１から送信された制御信号ａを受信するためにメイン基板３に設けられた赤外線受信部４１とを備え、キー操作基板３は太陽電池６に接続されて太陽電池６から供給される電力によって動作し、メイン基板４は電源回路５を介して外部電源から供給される電力によって動作する。【選択図】図２
2005195727.tif 000002
【特許請求の範囲】
【請求項１】
筐体の上面に露出して取り付けられた、複数個の操作用ボタンからなるキー操作ボタンと、
前記キー操作ボタンの位置に対応する筐体内部の上部側の位置に取り付けられて、ユーザによる前記キー操作ボタンの操作に基づいて電気回路を開閉し、装置を制御するための制御信号を出力するキー操作基板と、
筐体内部の下部側に、前記キー操作基板と別々に取り付けられて、前記キー操作基板から出力される前記制御信号等に基づいて装置全体の動作を制御するメイン基板と、
前記メイン基板に電力を供給するための電源回路とを備え、
光源となるランプから出射された光により画像を形成して投射する画像表示プロジェクタ装置において、
前記ランプからの光を光電変換するための太陽電池と、
前記制御信号をワイヤレスで前記メイン基板に送信するために前記キー操作基板に設けられた赤外線送信部と、
前記赤外線送信部から送信された前記制御信号を受信するために前記メイン基板に設けられた赤外線受信部とを備え、
前記キー操作基板は、前記太陽電池に接続されて、該太陽電池から供給される電力によって動作することにより、前記キー操作基板と前記メイン基板との間に配される電源ラインと制御信号入出力用のラインとを不要としたことを特徴とする画像表示プロジェクタ装置。
【請求項２】
筐体表面に露出して取り付けられた、複数個の操作用ボタンからなるキー操作ボタンと、
前記キー操作ボタンの位置に対応する筐体内部の位置に取り付けられて、ユーザによる前記キー操作ボタンの操作に基づいて電気回路を開閉し、装置を制御するための制御信号を出力するキー操作基板と、
筐体内部に、前記キー操作基板と別々に取り付けられて、前記キー操作基板から出力される前記制御信号等に基づいて装置全体の動作を制御するメイン基板と、
前記メイン基板に電力を供給するための電源回路とを備え、
光源となるランプから出射された光により画像を形成して投射する画像表示プロジェクタ装置において、
前記ランプからの光を光電変換するための太陽電池を備え、
前記キー操作基板は、前記太陽電池に接続されて、該太陽電池から供給される電力によって動作することにより、前記キー操作基板と前記メイン基板との間に配される電源ラインを不要としたことを特徴とする画像表示プロジェクタ装置。
【請求項３】
前記制御信号をワイヤレスで前記メイン基板に送信するために前記キー操作基板に設けられた送信部と、前記送信部から送信された前記制御信号を受信するために前記メイン基板に設けられた受信部とをさらに備えることにより、前記キー操作基板と前記メイン基板との間に配される制御信号入出力用のラインを不要としたことを特徴とする請求項２に記載の画像表示プロジェクタ装置。
【発明の詳細な説明】
【技術分野】
【０００１】
本発明は、画像をスクリーン等に投射する画像表示プロジェクタ装置に関する。
【背景技術】
【０００２】
従来から、パソコンやビデオカメラ等からの画像データを基に画像形成素子にて画像生成し、その画像をスクリーン等に投影表示する画像表示プロジェクタ装置が知られており、例えば、図３に示されるように、ユーザが操作するキー操作ボタン１０２を筐体１１０の上面１１０ａに有する画像表示プロジェクタ装置１０１が知られている。このような画像表示プロジェクタ装置１０１は、キー操作ボタン１０２の他に、ユーザによるキー操作ボタン１０２の操作に基づいて電気回路を開閉し、装置１０１を制御するための制御信号ａ’を出力するキー操作基板１０３と、キー操作基板１０３から出力される制御信号ａ’等に基づいて装置１０１全体の動作を制御するメイン基板１０４と、メイン基板１０４やキー操作基板１０３、ランプ１７１ａ等に電力を供給する電源回路１０５等を有している。キー操作基板１０３は、キー操作ボタン１０２の位置に対応する筐体１１０内部の上部側の位置に、メイン基板１０４とは別々に取り付けられており、これらキー操作基板１０３とメイン基板１０４との間には、キー操作基板１０３に電力を供給するための電源ライン１５１と制御信号入出力用のライン１０７が配されている。このため、このようなキー操作基板１０３とメイン基板１０４とを別々に有する画像表示プロジェクタ装置１０１においては、キー操作基板１０３とメイン基板１０４との間に電源ライン１５１と制御信号入出力用のライン１０７のための配線経路を確保する必要があり、装置１０１の組み立て時の作業性がよくなかった。
【０００３】
ところで、液晶表示プロジェクタの光学系ユニット内に、光源からの出射光を利用した電力供給用の太陽電池を設け、外部電源の他に太陽電池からの電力を利用して、外部電源の消費電力量を低減化することができるようにした液晶表示プロジェクタが知られている（例えば、特許文献１参照）。また、光源からの光を偏光ビームスプリッタで分離し、分離した一方の偏光を液晶パネルに入射し、他方の偏光を太陽電池に入射して、この太陽電池で得た電力を信号系の動作電源として供給するようにした液晶表示プロジェクタが知られている（例えば、特許文献２参照）。
【特許文献１】特開平４−２５０４３８号公報
【特許文献２】特開平９−５６９７号公報
【発明の開示】
【発明が解決しようとする課題】
【０００４】
しかしながら、上記特許文献１及び特許文献２に記載の液晶表示プロジェクタは外部電源からの消費電力量を低減化することができるものの、キー操作基板とメイン基板とを別々に有する画像表示プロジェクタ装置について、キー操作基板とメイン基板との間の配線をなくして、装置組み立て時の作業性を向上することを目的とするものではない。
【０００５】
本発明は上記課題を解決するためになされたものであり、キー操作基板とメイン基板とを別々に有する画像表示プロジェクタ装置において、キー操作基板とメイン基板との間に配される電源ライン及び／又は制御信号入出力用のラインを不要とし、装置組み立て時の作業性を向上すると共に、外部電源からの消費電力量を少なくすることができる画像表示プロジェクタ装置を提供することを目的とする。
【課題を解決するための手段】
【０００６】
上記目的を達成するために請求項１の発明は、筐体の上面に露出して取り付けられた、複数個の操作用ボタンからなるキー操作ボタンと、前記キー操作ボタンの位置に対応する筐体内部の上部側の位置に取り付けられて、ユーザによる前記キー操作ボタンの操作に基づいて電気回路を開閉し、装置を制御するための制御信号を出力するキー操作基板と、筐体内部の下部側に、前記キー操作基板と別々に取り付けられて、前記キー操作基板から出力される前記制御信号等に基づいて装置全体の動作を制御するメイン基板と、前記メイン基板に電力を供給するための電源回路とを備え、光源となるランプから出射された光により画像を形成して投射する画像表示プロジェクタ装置において、前記ランプからの光を光電変換するための太陽電池と、前記制御信号をワイヤレスで前記メイン基板に送信するために前記キー操作基板に設けられた赤外線送信部と、前記赤外線送信部から送信された前記制御信号を受信するために前記メイン基板に設けられた赤外線受信部とを備え、前記キー操作基板は、前記太陽電池に接続されて、該太陽電池から供給される電力によって動作することにより、前記キー操作基板と前記メイン基板との間に配される電源ラインと制御信号入出力用のラインとを不要としたことを特徴とする。
【０００７】
請求項２の発明は、筐体表面に露出して取り付けられた、複数個の操作用ボタンからなるキー操作ボタンと、前記キー操作ボタンの位置に対応する筐体内部の位置に取り付けられて、ユーザによる前記キー操作ボタンの操作に基づいて電気回路を開閉し、装置を制御するための制御信号を出力するキー操作基板と、筐体内部に、前記キー操作基板と別々に取り付けられて、前記キー操作基板から出力される前記制御信号等に基づいて装置全体の動作を制御するメイン基板と、前記メイン基板に電力を供給するための電源回路とを備え、光源となるランプから出射された光により画像を形成して投射する画像表示プロジェクタ装置において、前記ランプからの光を光電変換するための太陽電池を備え、前記キー操作基板は、前記太陽電池に接続されて、該太陽電池から供給される電力によって動作することにより、前記キー操作基板と前記メイン基板との間に配される電源ラインを不要としたことを特徴とする。
【０００８】
請求項３の発明は、請求項２に記載の発明において、前記制御信号をワイヤレスで前記メイン基板に送信するために前記キー操作基板に設けられた送信部と、前記送信部から送信された前記制御信号を受信するために前記メイン基板に設けられた受信部とをさらに備えることにより、前記キー操作基板と前記メイン基板との間に配される制御信号入出力用のラインを不要としたことを特徴とする。
【発明の効果】
【０００９】
以上のように本発明によれば、キー操作基板が太陽電池に接続されて太陽電池から供給される電力によって動作するようにしたことにより、キー操作基板とメイン基板の間の電源ラインが不要となる。また、キー操作基板とメイン基板とが、赤外線送信部（送信部）と赤外線受信部（受信部）を利用して制御信号を入出力するようにしたことにより、キー操作基板とメイン基板の間の制御信号入出力用のラインが不要となる。このため、キー操作基板とメイン基板の間の電源ライン及び／又は制御信号入出力用のラインの配線経路を確保する必要がなくなるので、装置組み立て時の作業性が向上する。また、キー操作基板が太陽電池に接続されて太陽電池から供給される電力によって動作するようにしたことにより、外部電源の消費電力を減らすことができる。
【発明を実施するための最良の形態】
【００１０】
以下、本発明を具体化した実施形態について図１及び図２を参照して説明する。画像表示プロジェクタ装置１は、パソコンやビデオカメラ等から入力される画像信号を基に、内蔵の画像形成素子を用いて画像を形成し、その画像をスクリーンや壁面等に投射表示する装置である。画像表示プロジェクタ装置１は、光学系として、光源となるランプ７１ａ（図２参照）を内部に有するランプユニット７１と、画像投射ユニット７２と、投射レンズ７３とを備えている。また、光学系以外の構成として、画像表示プロジェクタ装置１は、複数個の操作用ボタンからなるキー操作ボタン２と、ユーザによるキー操作ボタン２の操作に基づいて電気回路を開閉し、装置１を制御するための制御信号ａを出力するキー操作基板３と、キー操作基板３から出力される制御信号ａ等に基づいて装置１全体の動作を制御するメイン基板４と、メイン基板４及びランプ７１ａ等に電力を供給するための電源回路５（図２参照）と、ランプ７１ａからの光を光電変換するための太陽電池６とを備えている。
【００１１】
まず、画像表示プロジェクタ装置１の光学系について説明する。画像表示プロジェクタ装置１の光学系は、上述したように、ランプユニット７１、画像投射ユニット７２及び投射レンズ７３等により構成されており、画像投射ユニット７２は、カラーホイール（不図示）、ライトトンネル７２ａ、ダブレットレンズ及び画像形成素子（いずれも不図示）等を有している。
【００１２】
カラーホイールは、赤、青、緑のカラーフィルタが円周方向に沿って配列されたものであり、モータにより回転することによって通過する光を時系列的に配色する。カラーホイールは、ランプ７１ａとライトトンネル７２ａの間に回転可能に配置されている。
【００１３】
ライトトンネル７２ａは、４枚の板ガラスを張り合わせて筒状に構成したものであり、入射された光を四角く凝縮すると共に均一化して出射する。ダブレットレンズは、ライトトンネル７２ａから出射された光に対して、波長等による影響を補正するものであり、ライトトンネル７２ａに続く箇所に配置されている。
【００１４】
画像形成素子は、ダブレットレンズを通った後、反射ミラー及びリレーレンズ（何れも不図示）等を介して導光されてきた光を反射させて画像を生成する。投射レンズ７３は、画像形成素子からの反射光、すなわち、画像形成素子で生成された画像を投射する。
【００１５】
次に、画像表示プロジェクタ装置１の光学系以外の構成について説明する。画像表示プロジェクタ装置１の筐体１０は、図１に示されるように、上ケース１１と、下ケース１２により形成されており、上ケース１１（筐体１０の上面１０ａ）には、キー操作ボタン２を挿通するための複数の挿通孔２０が設けられている。キー操作ボタン２は、この挿通孔２０を通って筐体１０の上面１０ａに上端が露出した状態で押下操作可能に取り付けられる。このキー操作ボタン２は、ユーザによって画像の投射や投射画像の明るさ調整等の処理を行うために操作される。
【００１６】
キー操作基板３は、図２に示されるように、キー操作ボタン２の位置に対応する筐体１０内部の上部側の位置に取り付けられており、制御信号ａをワイヤレスでメイン基板４に送信するための赤外線送信部（送信部）３１を備えている。また、キー操作基板３は、電源ライン６１を介して太陽電池６に接続されており、太陽電池６から供給される電力によって動作する。このキー操作基板３は、ユーザによるキー操作ボタン２の操作に基づいて電気回路を開閉し、各キー操作ボタン２に対応する制御信号ａを赤外線送信部３１により赤外線キャリアに載せて送信する。
【００１７】
メイン基板４は、筐体１０内部の下部側に、キー操作基板３と別々に取り付けられており、キー操作基板３の赤外線送信部（受信部）３１から送信された赤外線を受信するための赤外線受信部４１を備えている。メイン基板４は、受信した赤外線から制御信号ａを得て、この制御信号ａ等に基づいて装置１全体の動作を制御する。
【００１８】
電源回路５は、商用交流電源（例えば、ＡＣ１００Ｖ）から電源プラグ５０を介して供給される電力を、電源ライン５１を介してメイン基板４に供給し、電源ライン５２を介してランプ７１ａに供給する。
【００１９】
太陽電池６は、図１に示されるように、ランプ７１ａから出射された光の一部が入射するようにライトトンネル７２ａの近傍に配置されている。装置１内に太陽電池６を組み込み、太陽電池６と外部電源を併用して装置１に電力を供給することで外部電源からの電力供給を少なくすることが可能となる。
【００２０】
ファン８１は、通気口８２から流入して通気口８３から排出される空気の流れを作り、筐体１０並びにキー操作基板３及びメイン基板４の温度上昇を防止する。キー操作基板３を筐体１０の上部側に取り付け、メイン基板４を筐体１０の下部側に取り付けることにより、空気の通路を確保してキー操作基板３及びメイン基板４を冷却する際の冷却効率を高めることができる。
【００２１】
以上のように本実施形態によれば、キー操作基板３が太陽電池６に接続されて太陽電池６から供給される電力によって動作するようにしたことにより、キー操作基板３とメイン基板４の間の電源ラインが不要となる。また、キー操作基板３とメイン基板４とが、赤外線送信部３１と赤外線受信部４１を利用して制御信号ａを入出力するようにしたことにより、キー操作基板３とメイン基板４の間の制御信号入出力用のラインが不要となる。このため、キー操作基板３とメイン基板４の間の電源ライン及び制御信号入出力用のラインの配線経路を確保する必要がなくなるので、装置１の組み立て時の作業性が向上する。また、キー操作基板３が太陽電池６に接続されて太陽電池６から供給される電力によって動作するようにしたことにより、外部電源の消費電力を減らすことができる。
【００２２】
なお、本発明は、上記実施形態の構成に限られず、種々の変形が可能である。例えば、太陽電池６の配置はライトトンネル７２ａの近傍でなくてもよく、ランプ７１ａからの光を受光してキー操作基板３を動作させるために必要な電力が得られる場所であればよい。また、制御信号ａを送信するために用いられるキャリアは赤外線でなくてもよい。さらにまた、キー操作ボタン２の配置は、筐体１０の上面１０ａでなくてもよく、側面であってもよい。
【図面の簡単な説明】
【００２３】
【図１】本発明の一実施形態による画像表示プロジェクタ装置の分解斜視図。
【図２】同装置の概略の内部構成を示す図。
【図３】従来例による画像表示プロジェクタ装置の概略の内部構成を示す図。
【符号の説明】
【００２４】
１    画像表示プロジェクタ装置
２    キー操作ボタン
３    キー操作基板
４    メイン基板
５    電源回路
６    太陽電池
１０  筐体
１０ａ  筐体の上面
３１  赤外線送信部（送信部）
４１  赤外線受信部（受信部）
７１ａ  ランプ
１０７  キー操作基板とメイン基板との間に配される制御信号入出力用のライン
１５１  キー操作基板とメイン基板との間に配される電源ライン
ａ    制御信号
【図１】
2005195727.tif 000003
【図２】
2005195727.tif 000004
【図３】
2005195727.tif 000005